(57)【特許請求の範囲】
【請求項１】
一端にそれぞれ生体信号を検出する電極が接続される複数本の電極リード線と、
一端が生体電気計測装置に接続される少なくとも１本の接続コードと、
前記電極リード線のそれぞれの他端と前記接続コードの他端とを電気的・物理的に中継する分岐部とを有し、
前記分岐部は、接着テープにより生体の皮膚表面に装着される生体電気誘導コードにおいて、
前記分岐部の生体装着面に複数個の凸部を散在して設けたことを特徴とする生体電気誘導コード。
【発明の詳細な説明】
【０００１】
【発明の属する技術分野】
本発明は、生体に装着された電極が検出する生体信号を計測装置に誘導する生体電気誘導コードに関し、特に生体に負担をかけることがなく、かつ複数個の電極が検出する生体信号を正確に誘導することのできる生体電気誘導コードに関する。
【０００２】
【従来の技術】
生体の複数箇所に装着された電極が検出する生体信号を１個の計測装置に誘導する誘導コードとしては、従来から種々のものが用いられている。図４に従来の生体電気誘導コードの一例の構成を示す。図４において、先端にそれぞれ電極１が接続された複数本、例えば１０本の電極リード線２の基端は分岐部３に導入されている。１０本の電極リード線２は分岐部３内において１本に集束され、分岐部３に接続された接続コード４を介して図示しない計測装置に導出される。
【０００３】
分岐部３は硬質プラスチックなどで六角形の偏平箱状に形成されており、１０本の電極リード線２のうち６本は分岐部３の一辺に接続され、他の４本はこの一辺の両側に隣接する二辺にそれぞれ２本ずつ接続されている。そして一辺に接続された６本は胸部電極リード線、他の４本は四肢電極リード線となっている。
【０００４】
【発明が解決しようとする課題】
上記のように構成された生体電気誘導コードを用いて生体信号を測定する場合、分岐部３を生体の表面の所定の位置に接着テープなどを用いて装着固定し、電極リード線２の先端に接続された１０個の電極１を生体の胸部及び四肢の測定部位に装着する。このとき従来の分岐部３の生体装着面はほぼ平面となっているため、分岐部３が生体面に対して滑りやすく、検出した生体信号にノイズが発生するおそれがあった。また、分岐部３が生体の皮膚表面に密着するため、皮膚がムレて炎症を起こしやすい欠点もあった。
【０００５】
一方、胸部電極リード線と四肢電極リード線の分岐部３への導入部が近接しているため、分岐部３を生体表面に装着固定するテープは、これらの電極リード線２に干渉しない中心から外れた位置に接着しなければならず、分岐部３を強固に固定することができなかった。
【０００６】
本発明はこのような状況に鑑みてなされたもので、分岐部を生体表面に装着するときに滑りやムレなどが発生することがなく、安定した生体信号の検出を行うことができる生体電気誘導コードを提供することを目的とする。
【０００７】
【課題を解決するための手段】
上記目的を達成するために、請求項１に記載の本発明は、一端にそれぞれ生体信号を検出する電極が接続される複数本の電極リード線と、一端が生体電気計測装置に接続される少くとも１本の接続コードと、前記電極リード線のそれぞれの他端と前記接続コードの他端とを電気的・物理的に中継する分岐部とを有し、前記分岐部は、接着テープにより生体の皮膚表面に装着される生体電気誘導コードにおいて、前記分岐部の生体装着面に複数個の凸部を散在して設けたことを特徴とする。
【０００８】
請求項１に記載の本発明においては、分岐部の生体装着面に複数個の凸部を設けたので、分岐部を生体表面に装着するとき、凸部が生体表面に食い込み、分岐部が生体表面に対して滑りにくくなる。また凸部により分岐部が生体装着面と生体表面との間に間隙が生じ、ムレが発生することを防止できる。
【０００９】
【発明の実施の形態】
以下、本発明の生体電気誘導コードの実施の形態を図面を参照して説明する。図１は本発明の生体電気誘導コードの実施の形態の構成例を示す下面図、図２は図１の上面図、図３は図１の分岐部の側面図である。これらの図において、図４に示す従来例の部分と対応する部分には同一の符号を付してあり、その説明は適宜省略する。
【００１０】
図１乃至図３において、分岐部３はプラスチックでほぼ扇形の偏平箱状に形成されており、図中上辺の円弧部分には６本の胸部電極リード線２ａの基端側が導入されている。分岐部３の両側部にはそれぞれ２本の四肢電極リード線２ｂの基端側が導入されており、胸部電極リード線２ａと四肢電極リード線２ｂとは分岐部３の外周から異なる方向に突出している。両電極リード線２ａ、２ｂは分岐部３内において集束され、分岐部３の扇形の中心部から外側に突出する接続コード４に接続されている。また各電極リード線２ａ、２ｂの先端にはそれぞれ生体信号を検出する電極１ａ、１ｂが接続されている。さらに分岐部３の生体装着面には複数個の円形の凸部５が一体に形成されている。また、接続コード４の他端は生体電気計測装置、例えば心電計６に接続されている。
【００１１】
生体信号を検出するときは分岐部３を接着テープ７を用いて生体の皮膚表面の所定の位置に装着固定する。このとき図２に示すように、接着テープ７は分岐部３のほぼ中心の部分に接着され、胸部電極リード線２ａと四肢電極リード線２ｂとの間において外側に引き出される。次に胸部電極リード線２ａの先端に接続された電極１ａを胸部の測定部位に、四肢電極リード線２ｂの先端に接続された電極２ｂを四肢の測定部位にそれぞれ装着し、生体信号の検出を行う。各電極２ａ、２ｂが検出した生体信号は接続コード４を介して心電計６に導出される。
【００１２】
本実施の形態によれば、分岐部３の生体装着面に複数の凸部５が設けられているので、分岐部３を接着テープ７により生体表面に装着したとき、凸部５が皮膚に食い込み、分岐部３が生体表面に対して滑ることを係止することができる。この結果、測定された生体信号にノイズが発生することがなくなり、正確な測定を行うことができる。また凸部５により分岐部３の生体装着面と生体表面との間に間隙が生じるので、皮膚表面がムレることを防止できる。
【００１３】
また、胸部電極リード線２ａと四肢電極リード線２ｂとを分岐部３の外周から異なる方向に分離して突出させているので、分岐部３を接着テープ７により生体表面に装着するとき、接着テープ７を各電極リード線２ａ、２ｂに干渉されることなく分岐部３のほぼ中心に接着することができ、分岐部３を生体表面に強固に装着固定することができる。
【００１４】
上記実施の形態の構成例では電極リード線２が６本の胸部電極リード線２ａと４本の四肢電極リード線２ｂとから構成されている場合について説明したが、これらの電極リード線２ａ、２ｂの本数はそれぞれ６本、４本に限定されないことはいうまでもない。
【００１５】
【発明の効果】
以上説明したように、請求項１に記載の生体電気誘導コードによれば、複数本に分岐された電極リード線を集束する分岐部の生体装着面に複数個の凸部を設けたので、分岐部が生体装着面に対してずれて検出した生体信号にノイズが発生したり、皮膚表面にムレが発生することを防止できる。
【図面の簡単な説明】
【図１】本発明の生体電気誘導コードの実施の形態の構成例を示す下面図である。
【図２】図１の上面図である。
【図３】図１の分岐部の側面図である。
【図４】従来の生体電気誘導コードの一例の構成を示す下面図である。
【符号の説明】
１    電極                          ２ａ  胸部電極リード線
２ｂ  四肢電極リード線              ３    分岐部
４    接続コード                    ５    凸部
６    心電計（生体電気計測装置）    ７    接着テープ
【図１】
0003598485.tif 000002
【図２】
0003598485.tif 000003
【図３】
0003598485.tif 000004
【図４】
0003598485.tif 000005